(57)【特許請求の範囲】
【請求項１】
化粧料を収納した蓋体と、上端部に化粧筆が装着された軸部を有し前記軸部の外周に上下動可能にガイド筒を設け前記蓋体と嵌合する本体を備えて成る化粧料容器において、前記蓋体が、下端を断面Ｕ字状に折り返して円周溝が内外二重筒状に形成された下蓋部材と、前記円周溝に上下摺動可能にして抜け出し不能に組み付けられ前記化粧料を収納した上蓋部材とから構成され、閉蓋時には前記上蓋部材の下動により前記化粧筆の筆先が前記化粧料に当接可能としたことを特徴とする化粧料容器。
【請求項２】
化粧料が固形化粧料であることを特徴とする請求項１記載の化粧料容器。
【請求項３】
蓋体の上部を化粧料を収納したカートリッジとし、前記カートリッジを上蓋部材の胴部の上端部に嵌脱可能としたことを特徴とする請求項１叉は請求項２記載の化粧料容器。
【請求項４】
下蓋部材の内筒部の頂端を蓋体内の上部へ化粧料を仕切るメッシュとしたことを特徴とする請求項１記載の化粧料容器。
【請求項５】
化粧料が粉体化粧料であることを特徴とする請求項１叉は請求項４記載の化粧料容器。
【請求項６】
蓋体の天板を前記蓋体とは別部材にして取り付けたことを特徴とする請求項４叉は請求項５記載の化粧料容器。
【発明の詳細な説明】
【０００１】
【発明の属する技術分野】
本発明は、化粧筆を具え、プレストパウダーのような固形化粧料や白粉や頬紅のような粉体化粧料を携帯使用するのに便利な棒状形態の化粧料容器に関するものである。
【０００２】
【従来技術】
この種の携帯性の良い容器として、例えば、実公平６−３０１０６号公報には、固形化粧料を収納した蓋体と、該蓋体と抜脱自在に嵌合し繰り出し機構を有する塗布具収納体から構成され、蓋体から塗布具収納体を抜き出して化粧用ブラシを繰り出し操作で伸長させ、蓋体内の固形化粧料を掃き取って使用するものが提示されている。
【０００３】
また、実公昭５７−４６８８３号公報には、化粧料を収納した筒体と、該筒体にスポンジ状の塗布体を設けた軸部を嵌合わせるキャップとで構成され、筒体にキャップを嵌合することで塗布体が化粧料に当接し塗布体に化粧料が付着するようにしたものが提示されている。
【０００４】
【発明が解決しようとする課題】
前者の従来例の容器にあっては、複雑な繰り出し機構を有していることから、高価になるとともに耐久性が劣り、化粧料をカートリッジ化するような場合には不適である。
【０００５】
また、後者の従来例の容器にあっては、シンプルな機構で安価ではあるが、化粧料の使い減りに伴って筒体とキャップの軸部との嵌合深度が深くなっていくので筒体とキャップとの着脱が不便になっていく欠点を有している。また、筒体とキャップとの嵌合段差が目立ち化粧容器としての美観にも欠けている。
【０００６】
本発明は、上記の問題に鑑みてなされたもので、化粧筆への化粧料の付着が容易にしてシンプルな構成とし、化粧料の使い終わりまで蓋体の開閉操作のし易い容器にすることにある。
【０００７】
【課題を解決するための手段】
本発明は、化粧料を収納した蓋体と、上端部に化粧筆が装着された軸部を有し前記軸部の外周に上下動可能にガイド筒を設け前記蓋体と嵌合する本体を備えて成る化粧料容器において、前記蓋体が、下端を断面Ｕ字状に折り返して円周溝が内外二重筒状に形成された下蓋部材と、前記円周溝に上下摺動可能にして抜け出し不能に組み付けられ前記化粧料を収納した上蓋部材とから構成され、閉蓋時には前記上蓋部材の下動により前記化粧筆の筆先が前記化粧料に当接可能としたことを特徴とする構成とした。
【０００８】
上記の構成としたことにより、閉蓋状態の蓋体に下方への圧力を調節しながらかけることにより、化粧筆に所望量の化粧料を付着させることができる。また、化粧料の使用による減少により蓋体が短小化して携帯に有利なるが、蓋体と本体との嵌合部の位置関係が変わることなく、開閉操作のし易さが維持される。また、閉蓋する際には、ガイド筒を上昇させることにより筆先を束ねて軸部の蓋体への挿入をし易い状態にして挿入することができる。開蓋すると、ガイド筒は軸部の元の位置へ自動的に復帰している。
【０００９】
また、上記の形態では化粧料が固形化粧料であることが好ましい。
【００１０】
また、化粧料が固形化粧料の場合、蓋体の上部を化粧料が収納されたカートリッジとし、前記カートリッジを上蓋部材の胴部の上端部に嵌脱可能とすることにより新しい固形化粧料に交換できる化粧料容器とすることができる。
【００１１】
また、化粧料が粉体化粧料の場合は、下蓋部材の内筒部の頂端を蓋体内の上部へ化粧料を仕切るメッシュとすることにより、蓋体内に粉体化粧料を保持し筆先で適量の粉体化粧料を取り出すことができる。
【００１２】
下蓋部材の内筒部の頂端を粉体化粧料を仕切るメッシュとした蓋体にあっては、蓋体の天板を蓋体とは別部材にして取り付け、粉体化粧料の充填を蓋体の上方から行うようにすると作業効率が良い。
【００１３】
【発明の実施の形態】
以下、本発明の好適な実施の形態を添付図面を参照しながら詳細に説明する。
【００１４】
図１乃至図４は、固形化粧料を使用した場合の本発明の化粧料容器の第一の実施の形態を示しており、図１に示すように、二重筒状の下蓋部材２に上下摺動可能に組み付けられた上蓋部材３とからなる蓋体１と、上端部に化粧筆２１が装着された軸部２２を有し前記軸部２２の外周に上下動可能にガイド筒３０を設け前記蓋体１と嵌合する本体２０とを備えて構成されている。
【００１５】
蓋体１の下蓋部材２は、図１、図４に示すように、下端を断面Ｕ字状に折り返して円周溝４が外筒部５と内筒部６とから内外二重筒状に形成されており、内筒部６の開口内近傍には下向きの段部１０と係合溝１１が周設されている。
【００１６】
また、上蓋部材３は、有頂筒状に形成され、その下端部で前記下蓋部材２の円周溝４に上下摺動可能にしてアンダーカット係合９で抜け出し不能に組み付けられている。上蓋部材３内の上方奥部には、中皿７に充填されたプレストパウダーからなる固形化粧料８が収納されている。
【００１７】
本体２０は、図１乃至図３に示すように、頸部２３を介して円筒状の軸部２２が立設され、その上端部には仕切り板部２４を介して基端部を捲き金具２５で毛材を捲き固めた化粧筆２１が挿着されている。また、頸部２３の外周には下蓋部材２の係合溝１１と係合する突起２６が周設され、本体２０の下端開口は底板２７で閉塞されている。
【００１８】
また、軸部２２の外周には下端にフランジ３１が形成されたガイド筒３０が上下摺動可能に嵌合されている。図２に示す、本体２０から蓋体１を外した使用時の状態から軸部２２を蓋体１内に嵌挿するときは、図３に示すように、ガイド筒３０を摘んで上動させて化粧筆２１の先端部を束ねる。従って、嵌挿し易い状態となり化粧筆２１を傷めることなく軸部２２を蓋体１内に円滑に挿入することができる。
【００１９】
ガイド筒３０で集束された化粧筆２１が蓋体１内に挿入されると、ガイド筒３０のフランジ３１が下蓋部材２の下向き段部１０に当接して上昇が阻止され、相対的にガイド筒３０が下動することから、蓋体１が閉め切られた状態では、図１に示すように、ガイド筒３０は元の軸部２２の位置に戻る。従って、蓋体１内では化粧筆２１のガイド筒３０による集束は開放され、次回使用するときにガイド筒３０を降下させる操作を必要としない。尚、図示は省略してあるが、ガイド筒３０を上動させた際の抜け止め用兼位置決め用となるアンダーカット係合等による係止機構をガイド筒３０の下端部と軸部２２の上端部に設け、ガイド筒３０の上方への抜け止め手段を設けておくとよい。
【００２０】
完全な閉蓋状態では、下蓋部材２の係合溝１１と本体２０の頸部２３の突起２６が係合して容器の密閉が保たれるとともに、化粧筆２１の先端２１ａが固形化粧料８に当接し付着する。上蓋部材３が上下摺動可能なことから、上蓋部材３と本体２０を持って相互回転させたり押しつけ強度を調節することにより化粧料の付着量を調整することができる。
【００２１】
また、図４に示すように、蓋体１内の固形化粧料８が使用減りしても、上蓋部材３を下降させて筆先２１ａを固形化粧料８に圧接して化粧料を付着させることができるから、固形化粧料８を最後まで使い切ることができる。また、固形化粧料８の使用減りに伴って容器全体が短小化して携帯性の向上にもなる。
【００２２】
また、図５は、蓋体１内の固形化粧料８を交換可能なカートリッジとした場合の蓋体１の例を示している。固形化粧料８が充填された有頂短筒状のカートリッジ３２を、上蓋部材３の胴部３ａの上端部にアンダーカット嵌合１３すると共に治具（図示省略）による取り外し用の溝１４を設けて嵌脱可能としたものである。このような構成とすることにより、使い古した化粧料から新しい固形化粧料８に交換して使用できるカートリッジ式の化粧料容器とすることが可能である。
【００２３】
図６、図７及び図８、図９は、ガイド筒３０を操作する際にガイド筒３０の外周に付着してしまった化粧料によって手指が汚染されないように、ガイド筒３０のフランジ３１に操作釦３２を設け、操作釦３２の操作でガイド筒３０を上下移動させる例を示している。
【００２４】
図６の断面図及び図６の容器における蓋体１を少し引き上げた状態を示す図７の斜視図にあっては、ガイド筒３０の操作釦３２は、閉蓋時には蓋体１よりも下方にあって本体２０に切り欠いた切欠収容部２８に収まっている。
【００２５】
また、図８の断面図及び図８の容器における蓋体１を少し引き上げた状態を示す図９の斜視図にあっては、ガイド筒３０の操作釦３２は、閉蓋時には下蓋部材２の下端に開放して切り欠いた切欠収容部１５に収まっている。
【００２６】
何れの場合も操作釦３２の表面が蓋体１の外部にあることから化粧料による汚染がく、これを用いることにより手指を汚す心配なくガイド筒３０の操作をすることができる。
【００２７】
図１０乃至図１２は、蓋体１内の化粧料が白粉や頬紅のような粉体化粧料を使用した場合の本発明の化粧料容器の第二の実施の形態を示している。
【００２８】
基本的に本実施の形態における本体２０は、既述した形態のものと同一であるので、図において、上記の実施の形態と共通する部分については同一符号を付しその説明を省略する。
【００２９】
図１０乃至図１２に示すように、化粧料が粉体化粧料１６の場合は、蓋体１の下蓋部材２における内筒部６の頂端を蓋体１内の上部へ粉体化粧料１６を仕切るメッシュ１７としている。尚、メッシュ１７は、下蓋部材２の内筒部６の頂端に別部材の網体を熱溶着等の手段で張設しても良く、また、内筒部６のと一体にメッシュ１７を形成しても良い。
【００３０】
本実施の形態によれば、メッシュ１７が仕切部材となって粉体化粧料１６のこぼれ出しを防止すると共に、閉蓋状態では上蓋部材３に下降圧力を加えることにより筆先２１ａがメッシュ１７に圧接して適量の粉体化粧料１６の付着取り出しを可能としている。そして、図１１に示すように、使用による粉体化粧料１６の減少に伴って上蓋部材３が相対的に円周溝４中に下降することから、上蓋部材３中の粉体化粧料１６を最後まで使い切ることができる。
【００３１】
また、図１２に示すように、下蓋部材２における内筒部６の頂端を蓋体１内の上部へ粉体化粧料１６を仕切るメッシュ１７とした蓋体１にあっては、上蓋部材３の天板１８と上蓋部材３の筒部１９を別部材にして取り付けるように構成し、粉体化粧料１６の充填を蓋体１の上方から行い、充填後に閉塞作業を行うと作業効率が良い。尚、天板１８の装着手段は、圧入、接着、アンダーカット等その手段を限定するものではなく、天板１８はシール等、フィルムなどによる閉塞手段でも良い。
【００３２】
図１３、図１４は、粉体化粧料１６を収納した容器にあって、ガイド筒３０を操作する際にガイド筒３０の外周に付着してしまった粉体化粧料によって手指が汚染されないように、ガイド筒３０に操作釦３２を設け、操作釦３２の操作でガイド筒３０を上下移動させる例を示している。
【００３３】
図に示すように、ガイド３０の下端部に操作釦３２を突設すると共に、本体２０には、この操作釦３２が表面を露出して上下動可能に収容された縦長の収容溝３６を有する外装筒３５が装着され、外装筒３５の下端面３７は本体２０に接着、溶着等の手段で固定されている。
【００３４】
また、蓋体１は前記外装筒３５の頸部３８に外嵌すると共に、下蓋部材２における内筒部６の下向き段部６ａがガイド筒３０の上端面３０ａと当接するように設定されている。
【００３５】
従って、ガイド筒３０で集束された化粧筆２１が蓋体１内に挿入されると、ガイド筒３０の先端面２０ａが下蓋部材２における内筒部６の下向き段部６ａに当接してガイド筒３０が下動することから、蓋体１が閉め切られた状態では、図１３に示すように、ガイド筒３０は元の軸部２２の位置に戻る。従って、蓋体１内では化粧筆２１のガイド筒３０による集束は開放され、次回使用するときにガイド筒３０を降下させる操作を必要としない構成となっている。
【００３６】
粉体化粧料が付着し易いガイド筒３０を外装筒３５で覆ったことから、操作中の手指が汚染されにくいうえに、装飾性も向上する。
【００３７】
【発明の効果】
本発明は、以上説明したような形態で実施され、以下に記載されるような効果を奏する。
【００３８】
蓋体を、下端を断面Ｕ字状に折り返して円周溝が内外二重筒状に形成された下蓋部材と、円周溝に上下摺動可能にして抜け出し不能に組み付けられ化粧料を収納した上蓋部材とから構成し、上蓋部材の下動により化粧筆の筆先に化粧料が当接するようにしたので、上蓋部材を下方へ押圧することにより蓋をしたまま化粧料の付着量を調節することができる。また、化粧料の減少により蓋体が短小化して携帯に有利なると共に、蓋体と本体との嵌合部の位置関係が変わることがないことから開閉操作のし易さが維持される。
【００３９】
また、閉蓋する際には、ガイド筒を上昇させ筆先を束ねて軸部の蓋体への挿入をし易い状態にして挿入し、開蓋すると、ガイド筒は元の軸部の位置に自動的に復帰している構成としたので、化粧筆を傷めることなく蓋体の開閉を円滑に行うことができる。
【００４０】
また、化粧料が固形化粧料の場合は、蓋体の上部を化粧料が収納されたカートリッジとして化粧料を新しいものと交換することが可能であり、化粧料を使い切った容器を更に有効に活用することができる。
【００４１】
また、下蓋部材の内筒部の頂端を蓋体内の上部へ化粧料を仕切るメッシュとすることにより、蓋体内に粉体化粧料を保持し、筆先で適量の粉体化粧料を取り出すことができる粉体化粧料用の容器とすることができる。
【００４２】
粉体化粧料用の容器とした場合は、蓋体の天板を蓋体とは別部材にし、粉体化粧料の充填を蓋体の上方から行ってから天板を取り付けることにより、充填作業効率を向上させることが可能であり、且つ蓋体のデザインを多様化することができる。
【図面の簡単な説明】
【図１】本発明の化粧料容器の第一の実施の形態を示す断面図。
【図２】図１の化粧料容器の蓋体を取り外した状態の本体を示す断面図。
【図３】図２に示す本体のガイド筒を上移動させた状態を示す本体の断面図。
【図４】図１の蓋体内における固形化粧料が減耗した状態を示す蓋体の断面図。
【図５】図１の化粧料容器の化粧料をカートリッジとした状態の蓋体を示す断面図。
【図６】本発明の化粧料容器のガイド筒に操作釦を設けた一例を示す容器の断面図。
【図７】図６の化粧料容器における蓋体を少し引き上げた状態を示す斜視図。
【図８】本発明の化粧料容器のガイド筒に操作釦を設けた別の例を示す容器の断面図。
【図９】図８の化粧料容器における蓋体を少し引き上げた状態を示す斜視図。
【図１０】本発明の化粧料容器の第二の実施の形態を示す断面図。
【図１１】図１０の蓋体内における粉体化粧料が減耗した状態の蓋体を示す断面図。
【図１２】図１０の化粧料容器における蓋体の天板と蓋体の筒部を別部材にして嵌着させた状態を示す蓋体の断面図。
【図１３】本発明の化粧料容器の別の実施の形態を示す断面図。
【図１４】図１３に示す容器の斜視図。
【符号の説明】
１  蓋体，２  下蓋部材，３  上蓋部材，３ａ  胴部，４  円周溝，６内筒部，８  固形化粧料，１２  カートリッジ，１６  粉体化粧料，１７  メッシュ，１８  天板，２０  本体，２１  化粧筆，２１ａ  筆先，２２  軸部，３０  ガイド筒，
【図１】
0004754721.tif 000002
【図２】
0004754721.tif 000003
【図３】
0004754721.tif 000004
【図４】
0004754721.tif 000005
【図５】
0004754721.tif 000006
【図６】
0004754721.tif 000007
【図７】
0004754721.tif 000008
【図８】
0004754721.tif 000009
【図９】
0004754721.tif 000010
【図１０】
0004754721.tif 000011
【図１１】
0004754721.tif 000012
【図１２】
0004754721.tif 000013
【図１３】
0004754721.tif 000014
【図１４】
0004754721.tif 000015